(57)【要約】【課題】簡単な構成で、コネクタ類それ自体を通じての取付対象機器内へ水の滲入及び該コネクタ類とこれを搭載する部位との間を通じての水の滲入の双方を防止すること。【解決手段】取付対象の電子機器のキャビネット１に内外を貫通するジャック搭載用の搭載口２を形成し、ジャック３のハウジング４の周側部にＯリング５を配置する位置決め溝６を構成し、かつそのプラグ挿入孔４ａに位置する接片類８から端子部１０を延長してハウジング４の底部４ｂから通過孔４ｃを通じて外部に突出させ、そのジャック３を、ハウジング４の位置決め溝６にＯリング５を配置した状態で、キャビネット１の搭載口２に装入し、搭載口２の内部側開口に接して配したプリント基板１１にジャック３のハウジング４の底部４ｂから突出する端子部１０を接触させ、かつ搭載口２の外面側をカバー部材７でカバーして固定する。なお、ハウジング４の底部４ｂは接着剤で隙間を埋めてある。【選択図】  図１
2012059479.tif 000002
【特許請求の範囲】
【請求項１】
取付対象の電子機器のキャビネットに内外を貫通するコネクタ類搭載用の搭載口を形成し、コネクタ類のハウジングの周側部にＯリングを配置する位置決め溝を構成し、該コネクタ類を、そのハウジングの位置決め溝にＯリングを配置した状態で、前記キャビネットの搭載口に外部から装入配置したコネクタ類の防水取付構造。
【請求項２】
前記コネクタ類のハウジングの底部に位置する、対応する他方のコネクタ類との接続孔から底部外に開口する隙間であって、該底部に位置し、該接続孔内の接片類から該底部外に延長した端子部の通過する通過孔を含む隙間を接着剤で埋めた請求項１のコネクタ類の防水取付構造。
【請求項３】
前記コネクタ類を接続孔の先端開口部を除いてカバー部材で被覆しつつ、前記搭載口に固定した請求項１又は２のコネクタ類の防水取付構造。
【発明の詳細な説明】
【技術分野】
【０００１】
本発明は、使用中又は保管中等に雨水その他の水に接触する可能性のある種々の電子機器に取り付けられ、電気信号等の授受のために使用されるコネクタ類の防水取付構造に関する。
【背景技術】
【０００２】
この種のコネクタ類の防水取付構造には、そのプラグ挿入孔をゴムキャップ等のキャップ類で閉じる構成が知られている。
【０００３】
特許文献１には、その一例が示されており、これは、携帯電話等の電子機器のジャックのプラグ挿入口にその口形状に合わせた挿入部を挿入してこれを閉じる防水ゴムの例である。この防水ゴムは、該ジャックと別体に構成されているため、該プラグ挿入孔にプラグを挿入している際に紛失しやすいとか、該プラグ挿入口をこれで閉じると、該電子機器のケースから突出した状態となり、機器のデザイン上及び小型化への対応上の制約が生じる問題がある。また防水ゴムで閉じていない状態では、水密性は確保されないので、該ジャックを通じて機器の内部に水分が滲入する虞がある。
【０００４】
また特許文献２には他の例が示されており、それは、携帯電話装置に構成されたキャップの例で、イヤホンインタフェース部（イヤホンジャック）に付設されたイヤホンキャップと、外部機器との通信を行うためのインターフェース部（コネクタ）に付設されたキャップの例である。いずれも筐体の該当部位に起伏自在に構成され、伏状態で、それぞれを水密状態に閉じ、起立状態でそれぞれを開くようになっている。これらのキャップは、機器の筐体と一体に構成されているので、これを紛失する虞はないが、該ジャック等にプラグ等を接続する際には、当然、該キャップを起立させて該部位を開く必要があり、その際に該キャップが邪魔になる等の問題がある。また美観にも優れているとは言い難い。機器の外観のデザイン上の制約が生じるものでもある。またこれらのキャップを起立させている状態（開いている状態）では、ジャック等のコネクタの水密性は保持できないので、この場合も、機器の内部に水分が滲入する虞がある。
【０００５】
特許文献３は、イヤホンジャックのプラグ挿入孔部を防水キャップで塞ぐようにした携帯用無線機のイヤホンジャック防水構造に関する例である。防水キャップに関しては、特許文献２とほぼ同様の問題があるが、この文献３では、そのような問題を解決するところに力点があり、それは、イヤホンジャックに滲入した水が漏洩する漏洩箇所を閉塞部材で閉塞することである。すなわち、この携帯無線機のイヤホンジャック防水構造は、プリント基板に実装されたイヤホンジャックのハウジングの開口部のある面部に防水シートを貼り付け、該防水シートの該開口部閉塞部位を除く部分を該ハウジングの隣接する面に折り曲げて貼り付け、かつ前記イヤホンジャックと前記プリント基板との合せ目に全周に亘って接着剤を塗布して該合せ目を閉塞したものである。
【０００６】
従ってこの特許文献３によれば、前記のように、防水キャップの点は、特許文献２と同様であるが、該防水キャップによる閉塞を忘れた場合、或いは、該防水キャップが壊れた場合であっても、またその結果、雨水等が該イヤホンジャックまで滲入することがあったとしても、その雨水等を機器本体中に滲入させることはないと思われる。防水性能はかなり高いものと思われる。
【０００７】
しかしこの特許文献３の技術によれば、該イヤホンジャックは、その一面がプリント基板に接合し、プラグ挿入孔部の開口する側の面は機器のトップカバーで被覆されるが、その他の４面はもともといずれかで被覆される訳ではない。そしてその４面の内の一面（プラグ挿入孔部の構成してある面と対向する面）には、開口部があり、これに隣接する二つの面にもそれぞれ二つの端子係止孔部が開口してある。従って前記防水シートは、前記開口部のある面のみではなく、二つの端子係止孔部のある隣接する二つの面にも貼り付ける必要がある。請求項４及び実施例で示されるように、防水シートは、ハウジングの開口部のある面に貼り付ける工程を含めて数段階の工程を経て折り曲げながら他の二つの面にも貼り付けてそれらの面の全体を被覆しなければならない。なかなか厄介な構成であるといわざるを得ない。
【先行技術文献】
【特許文献】
【０００８】
【特許文献１】特開平０５−２０５８０９号公報（段落００１５、図１）
【特許文献２】特開２００５−１５１６２９号公報
【特許文献３】特開２０００−２９５１３３号公報
【発明の概要】
【発明が解決しようとする課題】
【０００９】
本発明は、以上の従来技術の問題点を解消し、プラグ挿入孔の開口部側にキャップ類を用いずに、簡単な構成で、コネクタ類それ自体から取付対象の電子機器内への水の滲入及び該コネクタ類とこれを搭載する部位との間を通じての取付対象の電子機器内への水の滲入の双方を防止し、取付対象の電子機器への水の滲入による損傷を回避するコネクタ類の防水取付構造を提供することを解決の課題とするものである。
【課題を解決するための手段】
【００１０】
本発明の１は、取付対象の電子機器のキャビネットに内外を貫通するコネクタ類搭載用の搭載口を形成し、コネクタ類のハウジングの周側部にＯリングを配置する位置決め溝を構成し、該コネクタ類を、そのハウジングの位置決め溝にＯリングを配置した状態で、前記キャビネットの搭載口に外部から装入配置したコネクタ類の防水取付構造である。
【００１１】
本発明の２は、本発明の１のコネクタ類の防水取付構造において、前記コネクタ類のハウジングの底部に位置する、対応する他方のコネクタ類との接続孔から底部外に開口する隙間であって、該底部に位置し、該接続孔内の接片類から該底部外に延長した端子部の通過する通過孔を含む隙間を接着剤で埋めたものである。
【００１２】
本発明の３は、本発明の１又は２のコネクタ類の防水取付構造において、前記コネクタ類を接続孔の先端開口部を除いてカバー部材で被覆しつつ、前記搭載口に固定したものである。
【発明の効果】
【００１３】
本発明の１のコネクタ類の防水取付構造によれば、コネクタ類のハウジングの周側部に位置決め溝を構成し、この位置決め溝にＯリングを配置した上で、該コネクタ類をキャビネットの搭載口に装入配置したので、該搭載口の内周面とコネクタ類のハウジングとの間の水密性が確保され、ここを通じて雨水等の水分が取付対象の電子機器内に滲入することはない。コネクタ類の内部を適切に処理しておけば、該コネクタ類の内部を通じて取付対象の電子機器内に水分が滲入することもない。また、以上のように、コネクタ類を外部から電子機器のキャビネットの搭載口に装入するものであるため、搭載が容易である。更にそのため、コネクタ類に損傷が生じた場合等にはその交換も容易でもある。
【００１４】
このコネクタ類は、それ自体又は搭載口に該コネクタ類を該搭載口に固定する手段を構成しておき、上部のデザインを該キャビネットの外観のデザインに整合するように構成しておけば、単にコネクタ類を該搭載口に装入配置するのみで、コネクタ類の取付が完了する。
【００１５】
いずれにしても、本発明のコネクタ類の防水取付構造によれば、キャビネットの外部にはプラグ挿入孔等の接続孔の開口部のみが露出の必要があるのみで、他に何も特別に突出させる必要がない。そのため、以上のように、直接に、コネクタ類の外面側をキャビネットのその部位の外面としてデザインすることも可能であるが、別に他の手段でコネクタ類を被覆するとしても、キャビネットの外面側のデザインは自由度が高いものとなる。また構成が非常に簡単であるため、小型化にも資するものである。更に、以上のように、構成が極めて簡単であるため、その面でも組立が容易である。
【００１６】
本発明の２のコネクタ類の防水取付構造によれば、コネクタ類のハウジングの底部に存在する、対応する他方のコネクタ類との接続用の接続孔に通じる隙間に接着剤を施してその隙間を埋めることとしたので、該接続孔を通じてその内部に滲入した雨水その他の水分が該隙間を通じて取付対象の電子機器の内部に滲入するおそれがない。それ故、該コネクタ類の接続孔をゴムキャップ等で閉塞する必要もないこととなり、前記のように、キャビネットの外面側のデザインの自由度が増大する。
【００１７】
本発明の３のコネクタ類の防水取付構造によれば、コネクタ類をキャビネットの搭載口に通常行っているカバー部材による被覆によって確実に固定することができるものであり、固定のための追加の工程、若しくは追加の特別の部材を必要としない。
【図面の簡単な説明】
【００１８】
【図１】一つの実施の形態のコネクタ類（ジャック）の防水取付構造の説明用分解斜視図（取付対象機器は部分のみ及びカバー部材省略）。
【図２】一つの実施の形態のコネクタ類（ジャック）の防水取付構造のカバー部材を外した状態の説明用全体斜視図（取付対象機器は部分のみ）。
【図３】一つの実施の形態のコネクタ類（ジャック）の防水取付構造を基板を外した状態で斜め下方から見た説明用全体斜視図（取付対象機器は部分のみ）。
【図４】(a)はジャックの平面図、(b)はジャックの右側面図、(c)はジャックの正面図、(d)ジャックの背面図、(e)はジャックの底面図、(f)はジャックの斜め下方から見た斜視図。
【図５】ジャックの縦断面図。
【図６】(a)は一つの実施の形態のコネクタ類（ジャック）の防水取付構造からジャックを取り除いた状態の説明用全体斜視図（取付対象機器は部分のみ）、(b)は(a)のＡ−Ａ線断面図、(c)は(a)のＢ−Ｂ線断面図。
【図７】(a)は図６(b)相当の図中の搭載口に断面していないジャックを装入した状態を示す断面図、(b)は図６(b)相当の図中の搭載口に断面していないジャックを装入した状態を示す断面図、(c)は図６(b)と同一位置で断面し、逆方向を見る図の搭載口に断面していないジャックを装入した状態を示す断面図。
【発明を実施するための形態】
【００１９】
発明を実施するための形態を図面を参照しながら詳細に説明する。なお、この実施の形態のコネクタ類の防水取付構造は、コネクタ類としてジャックを例に取って説明する。この実施の形態のコネクタ類の防水取付構造は、従って、ジャックの防水取付構造の説明になるが、他の種のコネクタ類であってもその構成の基本が異ならないことは言うまでもない。
【００２０】
このジャックの防水取付構造は、図１〜図３及び図７に示すように、基本的に、取付対象の電子機器のキャビネット１に内外を貫通するジャック搭載用の搭載口２を形成し、他方、ジャック３のハウジング４の周側部にＯリング５を嵌合配置する位置決め溝６を構成し、該ジャック３を、そのハウジング４の位置決め溝６にＯリング５を配置した状態で、前記キャビネット１の搭載口２に外部から装入し、かつ該搭載口２の外面側をカバー部材７でカバーして固定したものである。
【００２１】
前記取付対象の電子機器は、各種の電子機器、例えば、携帯して使用する種々の電子機器が適用対象となる。屋外では雨水に接触する可能性があり、屋内でも、例えば、飲料用その他の水やジュース類等に接触する可能性があり、そのような可能性のある電子機器に使用するのが有効である。具体的には、携帯電話機等が有効な適用対象である。
【００２２】
前記キャビネット１はジャック３の取付対象である電子機器の外ケースであり、この実施の形態では、絶縁性のプラスチックで成形したものである。前記ジャック搭載用の搭載口２は、図１、図２、図３、図６及び図７に示すように（図中でキャビネット１はジャック３の搭載口２付近のみを示している）、該キャビネット１の内側に配した内方に向かって突出するほぼ直方体状の突出部の内側に内外を貫通すべく構成した空間である。
【００２３】
該搭載口２は、更に詳細には、特に図１、図６(b)、(c)及び図７(a)〜(c)に示すように、キャビネット１の内外を貫通するほぼ直方体状の空間で、最下部の、ジャック３のハウジング４の最下部の平面形状にほぼ一致する平面形状でわずかに大きい下部保持部２ａと、その直上の両側及び後部に形成した上部が拡大する段差部２ｂと、更に最上部の両側に形成したカバー保持溝２ｃ、２ｃと、前部に開口したプラグｐの下半分の挿入用の半円開口２ｄとを備えた空間である。
【００２４】
前記ジャック３は、図４(a)〜(f)及び図５に示すように、概ね直方体状の外観をなす前記ハウジング４と、該ハウジング４に配された接片類８とで構成したものである。
【００２５】
該ハウジング４は、内部には正面に開口するプラグ挿入孔（接続孔）４ａを備え、外部には、その周側の全周に亘る前記位置決め溝６及びその直上の係止鍔部９を備えたものである。該位置決め溝６は、該ハウジング４の全周に亘って一定の高さ位置に構成する。この高さ位置は、図６(b)、(c)及び図７(a)〜(c)に示すように、ハウジング４の周側部の内、ジャック３を前記搭載口２に装入した場合に、該搭載口２の下部保持部２ａの最上部に対応する位置とする。前記段差部２ｂの直下に対応する高さということもできる。
【００２６】
前記係止鍔部９は、図４(a)〜(f)、図５及び図７(a)〜(c)に示すように、ハウジング４の周側の正面側を除いて、該位置決め溝６の直上に、それぞれ外方に張り出す状態に構成したものである。ジャック３を前記キャビネット１の搭載口２に装入した場合に、図７(a)〜(c)に示すように、該係止鍔部９が該搭載口２の段差部２ｂ上に載る状態で係止し、ジャック３の搭載口２における高さ方向の位置決めがなされる。
【００２７】
前記プラグ挿入孔４ａは、図１、図２、図４(a)、(c)、(f)、図５及び図６(c)に示すように、ジャック３のハウジング４の正面に開口する。正面の開口部の高さは、同図に示すように、前記Ｏリング５の位置決め用の位置決め溝６の直上である。このプラグ挿入孔４ａは、特に図５に示すように、該ハウジング４の長さ方向に沿ってその内部に構成した筒状空間であり、これ自体は一般的な構成である。
【００２８】
また該ハウジング４の正面上部は、この実施の形態では、キャビネット１の外面形状に対応させて、図１、図２、図４(b)、(f)、図５及び図７(a)に示すように、プラグ挿入孔４ａの正面開口部の高さ方向中間付近から後方途中までを斜め上向きの傾斜面に構成してある。
【００２９】
前記接片類８は、ジャック３のプラグ挿入孔４ａに挿入されたプラグｐの対応する電極と接触して電気的な接続を図る一般的な手段であり、この実施の形態のそれは、図５に示すように、ハウジング４のプラグ挿入孔４ａ中に配され、該接片類８から端子部１０が該ハウジング４の底部４ｂ外に延長されている。これも概ね一般的な構成である。なお、接片類８は、具体的には、プラグｐのチップ電極に接触するチップ接片、リング電極に接触するリング接片、スリーブ電極に接触するスリーブ接片等からなるものである。前記端子部１０は、それらの各々から底部４ｂを通じてその外側に延長してある。
【００３０】
該端子部１０の各々はハウジング４の底部４ｂに形成した通過孔４ｃ、４ｃ…を通じて底部４ｂ外に突出するものであるが、この通過孔４ｃ、４ｃ…及びその他の底部４ｂに開口している図示しない隙間には接着剤を施して埋める。
【００３１】
なお、ジャック３のハウジング４の底部４ｂから突出する端子部１０は、図１及び図７(a)〜(c)に示すように、キャビネット１の搭載口２へのジャック３の搭載状態で、該搭載口２の内部開口側に配置するプリント基板１１に対応する位置関係で形成したランド１１ａ、１１ａ…にそれぞれ接触させる。機器内部の必要な部位への電気的接続はこれによって行う。
【００３２】
前記Ｏリング５は、図１、図６(b)、(c)及び図７(a)〜(c)に示すように、前記ジャック３のハウジング４に形成した位置決め溝６に配置するのに適するサイズのゴム製の環状部材であり、公知の一般的なそれである。
【００３３】
前記カバー部材７は、図２、図６(a)〜(c)及び図７(a)〜(c)に示すように、前記キャビネット１の搭載口２の上部及び前部の開口部を閉じる被覆部材であり、該キャビネット１の該搭載口２の両側の上面形状と同一の上面形状を有する、同一材質のプラスチックで成形した板状部材である。上部の平面状の部分の両側には、図２、図６(c)及び図７(b)、(c)に示すように、該搭載口２の上部両側に形成してあるカバー保持溝２ｃ、２ｃにスライド自在に挿入可能なスライド係止片７ａ、７ａが形成してあり、かつ前部の斜め前方に傾斜する部位の中央下部には、図２、図６(a)〜(c)及び図７(a)に示すように、ジャック３のプラグ挿入孔４ａに挿入するプラグｐの上半分を通過させるための半円開口７ｂが形成してある。
【００３４】
従って、この実施の形態のジャック（コネクタ類）の防水取付構造によれば、キャビネット１の搭載口２へのジャック３の搭載は、次のように簡単に行うことができる。
【００３５】
ジャック３は、そのハウジング４の位置決め溝６中にＯリング５を装入配置した上で、該ハウジング４の前後の向きを搭載口２の前後の向きに一致させて、キャビネット１の外部側から該搭載口２中に装入する。該ジャック３を搭載口２中を降下させると、図７(a)〜(c)に示すように、そのハウジング４の周側に形成した係止鍔部９が該搭載口２に形成してある段差部２ｂに載置状態となり、該搭載口２中の適正高さ位置に位置決めされることになる。こうして、同図に示すように、該ハウジング４の底部４ｂはプリント基板１１の上面に近接状態となり、該底部４ｂから突出する端子部１０の各々は、該プリント基板１１に構成してある対応するランド１１ａ、１１ａ…に接触することになる。
【００３６】
この後、前記カバー部材７で該キャビネット１の搭載口２の上部開口を閉じる。該カバー部材７の両側のスライド係止片７ａ、７ａの後端を、該搭載口２の上部両側に形成してあるカバー保持溝２ｃ、２ｃの前端に一致させつつ挿入し、そのまま該カバー部材７を後方に押し込むと、該スライド係止片７ａ、７ａは該カバー保持溝２ｃ、２ｃ中をスライド移動し、図７(a)〜(c)に示すように、該搭載口２を、前記プラグ挿入孔４ａに対応する部位を除いて閉じた状態になる。
【００３７】
この実施の形態のジャック（コネクタ類）の防水取付構造によれば、以上のように、ジャック３は、その全体が搭載口２中に配置され、カバー部材７で被覆されてしまうものであるため、キャビネット１及びカバー部材７は自由にデザインをすることが可能である。
【００３８】
また雨水、飲料水その他の生活水等の水分が何らかの事情で搭載口２の半円開口２ｄとカバー部材７の半円開口７ｂによる全円開口を通じて該搭載口２中に滲入することがあり得るが、ジャック３のハウジング４と該搭載口２の内周（下部保持部２ａ）との間には、前記Ｏリング５が配してあるため、水密性が保持され、またジャック３の内部からは、ハウジング４の底部４ｂにあり得る隙間に接着剤が充填され、水密性が維持されているため、容易にそれらの水分が取付対象の電子機器の内部に滲入することはない。十分な防水性が維持されるものである。
【００３９】
また前記のように、搭載口２にセットしてあるジャック３は、カバー部材７を取り外せば、取り外すことが可能である。それ故、何らかの事情でジャック３に損傷が生じた場合等には、その交換が極めて簡単に行い得られる。
【符号の説明】
【００４０】
１    キャビネット
２    搭載口
２ａ  下部保持部
２ｂ  段差部
２ｃ  カバー保持溝
２ｄ  半円開口
３    ジャック
４    ハウジング
４ａ  プラグ挿入孔（接続孔）
４ｂ  底部
４ｃ  通過孔
５    Ｏリング
６    位置決め溝
７  カバー部材
７ａ  スライド係止片
７ｂ  半円開口
８    接片類
９    係止鍔部
１０  端子部
１１  プリント基板
１１ａ  ランド
ｐ    プラグ
【図１】
2012059479.tif 000003
【図２】
2012059479.tif 000004
【図３】
2012059479.tif 000005
【図４】
2012059479.tif 000006
【図５】
2012059479.tif 000007
【図６】
2012059479.tif 000008
【図７】
2012059479.tif 000009